(57)【要約】  無線ネットワークについてのサーチを改善する技法が記述される。端末は、同じ無線通信技術または異なる無線通信技術のための他のサーチについてそのサーチ領域を縮小するために、1つの無線通信技術についてのサーチの結果を使用する。1つのスキームにおいて、第1の無線通信技術(例、GSM)のための第1のサーチが最初に遂行され、そして、その第1の無線通信技術のために捕捉した周波数チャネル示すサーチ結果が得られる。  第2の無線通信技術(例、W-CDMA)のための第2のサーチは、第2のサーチから周波数を省略するために第1のサーチの結果を使用して遂行される。  他のスキームにおいて、捕捉は、あらかじめ無線通信技術(例、W-CDMA)のために捕捉した少なくとも1つの周波数チャネル上で遂行される。次に、無線通信技術についてのサーチは、サーチから周波数を省略するために前記捕捉の結果を使用して遂行される。
2009529837.tif 000002
【特許請求の範囲】
【請求項１】
第１の無線通信技術のための第１のサーチを遂行し、前記第１の無線通信技術のために捕捉されている周波数チャネルを示すサーチ結果を得て、かつ、第２のサーチから周波数を省略するために前記第１のサーチ結果を使用して、第２の無線通信技術のための第２のサーチを遂行するように構成された少なくとも１つのプロセッサと、
前記少なくとも１つのプロセッサに結合されたメモリと、
を含むことを特徴とする装置。
【請求項２】
前記第１の無線通信技術はＧＳＭであり、前記第２の無線通信技術はＷ−ＣＤＭＡであることを特徴とする請求項１の装置。
【請求項３】
前記第１のサーチのために、前記少なくとも１つのプロセッサは、複数の周波数チャネルについての受信電力測定値を得るように、そして、強い受信電力測定値を伴う周波数チャネル上に対して捕捉を試みるように、さらに、前記第１の無線通信技術について成功裡に捕捉した周波数チャネルのリストを提供するように、構成されることを特徴とする請求項１の装置。
【請求項４】
前記第１の無線通信技術はＧＳＭであり、そしてそこで、強い受信電力測定値を伴う各周波数チャネルについて、前記少なくとも１つのプロセッサは、周波数補正チャネル（ＦＣＣＨ）を検出するように、および、前記周波数チャネルを捕捉するために同期チャネル（ＳＣＨ）を解読するように、構成されることを特徴とする請求項３の装置。
【請求項５】
強い受信電力測定値を伴う各周波数チャネルについて、前記少なくとも１つのプロセッサは、さらに、前記周波数チャネルを捕捉するために報知チャネル（ＢＣＣＨ）を解読するように、構成されることを特徴とする請求項４の装置。
【請求項６】
前記少なくとも１つのプロセッサは、前記第１の無線通信技術について成功裡に捕捉した各周波数チャネルのまわりの一連の周波数を省略するように、構成されることを特徴とする請求項１の装置。
【請求項７】
前記少なくとも１つのプロセッサは、前記第１のサーチについての前記サーチ結果に基づいて、前記第２の無線通信技術に対する周波数サーチ空間を決定するように、および、前記周波数サーチ空間上で前記第２のサーチを遂行するように、構成されることを特徴とする請求項１の装置。
【請求項８】
前記第２のサーチについて、前記少なくとも１つのプロセッサは、前記第２のサーチから省略された前記周波数を除外する複数の周波数について受信電力測定値を得るように、
強い受信電力測定を伴う周波数を中心にした周波数チャネル上で捕捉を試みるように、および、前記第２の無線通信技術について成功裡に捕捉した周波数チャネルのリストを提供するように、構成されることを特徴とする請求項１の装置。
【請求項９】
前記第２のサーチについて、前記少なくとも１つのプロセッサは、粗い周波数スキャンを遂行し、かつ前記第２のサーチから省略された前記周波数を除外する、複数の粗い周波数について受信電力測定値を得るように、細かい周波数スキャンを遂行し、強い受信電力測定値を伴う各粗い周波数に対して複数の細かい周波数について受信電力測定値を得るように、および、強い受信電力測定値を伴う細かい周波数を中心にした周波数チャネル上で捕捉を試みるように、構成されることを特徴とする請求項１の装置。
【請求項１０】
前記少なくとも１つのプロセッサは、すべての利用可能な無線ネットワークのリストに対する要求を受信するように、および、前記要求に応じて前記第１と第２のサーチを遂行するように、構成されることを特徴とする請求項１の装置。
【請求項１１】
前記少なくとも１つのプロセッサは、現在の無線ネットワークより高い優先度を持った少なくとも１つの無線ネットワークに対してサーチする指示を受信するように、および、
前記指示に応じて前記第１と第２のサーチを遂行するように、構成されることを特徴とする請求項１の装置。
【請求項１２】
前記少なくとも１つのプロセッサは、前記第１と第２のサーチが前記第１と第２無線技術が両方とも展開する周波数帯に対して遂行される場合、前記第２のサーチから前記周波数を省略するように、構成されることを特徴とする請求項１の装置。
【請求項１３】
前記少なくとも１つのプロセッサは、前記第１と第２のサーチが、セルラー帯域、ＰＣＳ帯域、ＧＳＭ９００帯域、またはＧＳＭ１８００帯域、に対して遂行される場合、前記第２のサーチから前記周波数を省略するように構成されることを特徴とする請求項１の装置。
【請求項１４】
第１の無線通信技術についての第１のサーチを遂行し、前記第１の無線通信技術のために捕捉された周波数チャネルを示すサーチ結果を得ること、および、
前記第２のサーチから周波数を省略するために前記第１のサーチの前記サーチ結果を使用して、第２の無線通信技術についての第２のサーチを遂行すること、
を含むことを特徴とする方法。
【請求項１５】
前記第１の無線通信技術についての前記第１のサーチの遂行は、
複数の周波数チャネルについて受信電力測定値を得ることと、
強い受信電力測定値を持った周波数チャネルに対して捕捉を試みることと、
前記第１の無線通信技術について成功裡に捕捉した周波数チャネルのリストを提供することと、
を含むことを特徴とする請求項１４の方法。
【請求項１６】
前記第１の無線通信技術について成功裡に捕捉した各周波数チャネルのまわりの一連の周波数を省略すること、
をさらに含むことを特徴とする請求項１４の方法。
【請求項１７】
前記第２の無線通信技術に対して前記第２のサーチを遂行することは、
前記第２のサーチから省略された前記周波数を除外する複数の周波数に対して受信電力測定値を得ることと、
強い受信電力測定値を持った周波数を中心にした周波数チャネル上で捕捉を試みることと、
前記第２の無線通信技術について成功裡に捕捉した周波数チャネルのリストを提供することと、
を含むことを特徴とする請求項１４の方法。
【請求項１８】
第１の無線通信技術について第１のサーチを遂行し、前記第１の無線通信技術について捕捉された周波数チャネルを示すサーチ結果を得るための手段と、
前記第２のサーチから周波数を省略するために前記第１のサーチの前記サーチ結果を使用して、第２の無線通信技術についての第２のサーチを遂行するための手段と、
を含むことを特徴とする装置。
【請求項１９】
前記第１の無線通信技術について成功裡に捕捉した各周波数チャネルのまわりの一連の周波数を省略するための手段、
をさらに含むことを特徴とする請求項１８の装置。
【請求項２０】
第１の無線通信技術についての第１のサーチを指示する、前記第１の無線通信技術について捕捉された周波数チャネルを示すサーチ結果を得る；および、
前記第２のサーチから周波数を省略するために前記第１のサーチの前記サーチ結果を使用して、第２の無線通信技術についての第２のサーチを指示する、
ことが操作可能な命令を格納するためのプロセッサ可読媒体。
【請求項２１】
前記第１の無線通信技術について成功裡に捕捉した各周波数チャネルのまわりの一連の周波数を省略する、
ことが操作可能な命令をさらに格納するための請求項２０のプロセッサ可読媒体。
【請求項２２】
第１の無線通信技術についてあらかじめ捕捉した少なくとも１つの周波数チャネル上で捕捉を遂行するように、および、サーチから周波数を省略するために前記捕捉の結果を使用して、前記第１の無線通信技術に対するサーチを遂行するように、構成された少なくとも１つのプロセッサと、
前記少なくとも１つのプロセッサに結合されたメモリと、
を含むことを特徴とする装置。
【請求項２３】
前記少なくとも１つのプロセッサは、成功裡に捕捉していない各周波数チャネルの中心周波数を省略するように、および、成功裡に捕捉した各周波数チャネルに対して一連の周波数を省略するように、構成されることを特徴とする請求項２２の装置。
【請求項２４】
前記少なくとも１つのプロセッサは、第２の無線通信技術に対してサーチを遂行し、かつ、前記第２の無線通信技術について捕捉された周波数チャネルを示す結果を得るように、
および、前記第１の無線通信技術に対して前記サーチから周波数を省略するために、前記第２の無線通信技術についての前記サーチの前記結果および前記捕捉の前記結果を使用して、前記第１の無線通信技術に対して前記サーチを遂行するように、構成されることを特徴とする請求項２２の装置。
【請求項２５】
前記少なくとも１つのプロセッサは、前記第２の無線通信技術についての成功裡に捕捉した各周波数チャネルのまわりの一連の周波数を省略するように構成されることを特徴とする請求項２４の装置。
【請求項２６】
前記第１の無線通信技術はＷ−ＣＤＭＡであり、前記第２の無線通信技術はＧＳＭであることを特徴とする請求項２４の装置。
【請求項２７】
前記少なくとも１つのプロセッサは、サービスを探す要求を受信するように、および、
前記要求に応じて前記サーチと前記捕捉を遂行するように、構成されることを特徴とする請求項２２の装置。
【請求項２８】
前記少なくとも１つのプロセッサは、現在の無線ネットワークより高い優先度を持った少なくとも１つの無線ネットワークについてサーチする指示を受信するように、および、
前記指示に応じて前記捕捉と前記サーチを遂行するように、構成されることを特徴とする請求項２２の装置。
【請求項２９】
あらかじめ第１の無線通信技術について捕捉した少なくとも１つ周波数チャネル上で捕捉を遂行することと、
前記サーチの周波数を省略するために前記捕捉の結果を使用して、前記第１の無線通信技術に対してサーチを遂行することと、
を含むことを特徴とする方法。
【請求項３０】
成功裡に捕捉していない各周波数チャネルの中心周波数を省略することと、
成功裡に捕捉した各周波数チャネルついての一連の周波数を省略することと、
をさらに含むことを特徴とする請求項２９の方法。
【請求項３１】
第２の無線通信技術のサーチの遂行することと、
前記第２の無線通信技術について捕捉された周波数チャネルを示す結果を得ることと、
前記第１の無線通信技術の前記サーチは、前記第１の無線通信技術の前記サーチから周波数を省略するために、前記第２の無線通信技術の前記サーチの前記結果および前記捕捉の前記結果を使用して遂行されることと、
をさらに含むことを特徴とする請求項２９の方法。
【請求項３２】
あらかじめ第１の無線通信技術について捕捉した少なくとも１つの周波数チャネル上で捕捉を遂行するための手段と、
サーチから周波数を省略するために前記捕捉の結果を使用して、前記第１の無線通信技術に対してサーチを遂行するための手段と、
を含むことを特徴とする装置。
【請求項３３】
成功裡に捕捉していない各周波数チャネルの中心周波数を省略するための手段と、
成功裡に捕捉した各周波数チャネルに対する一連の周波数を省略するための手段と、
をさらに含むことを特徴とする請求項３２の装置。
【請求項３４】
第２の無線通信技術のサーチの遂行し、かつ、前記第２の無線通信技術について捕捉した周波数チャネルを示す結果を得る手段、および、そこで前記第１の無線通信技術の前記サーチは、前記第１の無線通信技術の前記サーチから周波数を省略するために、前記第２の無線通信技術の前記サーチの前記結果および前記捕捉の前記結果を使用して遂行される、をさらに含むことを特徴とする請求項３２の装置。
【請求項３５】
あらかじめ第１の無線通信技術について捕捉した少なくとも１つの周波数チャネル上の捕捉を指示することと、
サーチから周波数を省略するために前記捕捉の結果を使用して、前記第１の無線通信技術に対するサーチを指示することと、
を操作可能な命令を格納するためのプロセッサ可読媒体。
【請求項３６】
成功裡に捕捉していない各周波数チャネルの中心周波数を省略することと、
成功裡に捕捉した各周波数チャネルに対して一連の周波数を省略することと、
を操作可能な命令をさらに格納するための請求項３５のプロセッサ可読媒体。
【請求項３７】
第２の無線通信技術のサーチを指示し、前記第２の無線通信技術について捕捉した周波数チャネルを示す結果を得ることと、
前記第１の無線通信技術の前記サーチから周波数を省略するために、前記第２の無線通信技術についての前記サーチの前記結果と前記捕捉の前記結果とを使用して前記第１の無線通信技術の前記サーチを指示することと、
を操作可能な命令をさらに格納するための請求項３５のプロセッサ可読媒体。
【発明の詳細な説明】
【技術分野】
【０００１】
関連する出願
この出願は、２００６年３月７日に提出された米国の仮出願６０／７８０，２７０号の優先権を主張する。
【０００２】
技術分野
本開示は、一般に、通信に関する、そして、より具体的には、無線通信技術をサーチする技法に関する。
【背景技術】
【０００３】
無線通信ネットワークは、音声、パケット・データ、放送、メッセージングのような種々の通信サービスを提供するために広く展開する。これらの無線ネットワークは、利用可能なネットワーク資源の共有により複数ユーザ向けの通信をサポートすることができるかもしれない。そのような無線ネットワークの例は、符号分割多元接続(CDMA)ネットワーク、時分割多元接続(TDMA)ネットワークおよび周波数分割多元接続(FDMA)ネットワークを含んでいる。これらの無線ネットワークは、さらに広帯域CDMA(W-CDMA)、cdma2000、グローバル移動体通信システム(GSM)などのような各種無線通信技術を利用することができる。それらは当該技術分野において知られている。
【０００４】
１つの端末が、W-CDMAおよびGSMネットワークのような異なる無線ネットワークと通信することができるかもしれない。その端末は、その端末がサービスを獲得することができる無線ネットワークを見つけるためにサーチを遂行するかもしれない。その端末は、最初に、特定の無線通信技術(例、W-CDMA)の無線ネットワークを探すために周波数帯をサーチするかもしれない、次に、他の無線通信技術(例、GSM)の無線ネットワークを探すために同じ周波数帯の他のサーチを遂行し、そしてそれから、サーチによって見つかったすべての無線ネットワークのリストを生成するかもしれない。各無線通信技術についてのサーチは、例えば、多くの無線ネットワークが動作しているかもしれない混み合った周波数帯について、ほぼ分の程度の、時間を浪費するかもしれない。長いサーチ時間は、サーチ結果を報告する際に過度の遅延を引き起こすかもしれない。
【０００５】
したがって、無線通信ネットワークのサーチ技術において改善の必要がある。
【発明の開示】
【発明の概要】
【０００６】
無線ネットワークに対するサーチを改善する技法がここに記述される。一般に、端末は、同じ無線通信技術あるいは異なる無線通信技術の別のサーチのサーチ領域を縮小するために、1つの無線通信技術のサーチの結果を使用するかもしれない。
【０００７】
一実施態様において、第1の無線通信技術(例、GSM)についての第1のサーチは最初に遂行される。そして、第1の無線通信技術について捕捉された周波数チャネルを示すサーチ結果が得られる。次に、第2の無線通信技術(例、W-CDMA)についての第2のサーチは、第2のサーチから周波数を省略するために第1のサーチの結果を使用して遂行される。例えば、第2のサーチは、第1の無線通信技術について成功裡に捕捉された各周波数チャネルのまわりの一連の周波数を省略するかもしれない。
【０００８】
他の実施態様において、捕捉は、あらかじめ無線通信技術(例、W-CDMA)について捕捉した少なくとも1つの周波数チャネル上で遂行される。次に、その無線通信技術に対するサーチは、サーチから周波数を省略するために前記捕捉の結果を使用して遂行される。省略された周波数は、(1)成功裡に捕捉していない各周波数チャネルの中心周波数、および(2)成功裡に捕捉した各周波数チャネルに対する周波数の範囲を含んでいているかもしれない。
【０００９】
本発明の種々の様相および実施態様は、以下でさらに詳細に記述される。
【００１０】
本発明の様相および実施態様は、参照文字が全面的に相応して識別するように図面と関連して理解されたときには、以下に述べられた詳細な説明からより明白になるであろう。
【詳細な説明】
【００１１】
「典型的である」という単語は「例、実例または例証として提供する」ことを意味するためにここで使用される。「典型的である」としてここに記述された任意の実施態様または設計は、他の実施態様または設計に関して好ましいあるいは有利であると、必ずしも解釈することができない。
【００１２】
ここに記述されたサーチ技法は、UMTSネットワーク、GSMネットワーク、cdma2000ネットワークなどのような種々の無線通信ネットワークに対して使用され得る。
【００１３】
用語「ネットワーク」および「システム」は、しばしば区別なく使用される。GSMネットワークは、エアー・インターフェースとしてGSMを、そしてコアネットワークとしてモバイル・アプリケーション・パート(MAP)を利用する。UMTSネットワークは、エアー・インターフェースとしてW-CDMAを、そしてコアネットワークとしてMAPを利用する。
【００１４】
用語「エアー・インターフェース」、「無線通信技術」および「無線アクセス技術」は、しばしば区別なく使用される。「W-CDMA」、「UMTS」という用語もしばしば区別なく使用される。GSMは、音声サービスと安価な中位速度のパケット・データ・サービスを提供することができる第二世代(2G)の無線通信技術である。W-CDMAは、高度なサービスおよび能力(例、より高いデータレート、同時音声、データコールなど)を提供することができる、第3世代(3G)の無線通信技術である。GSMおよびW-CDMAは「第３世代共同事業プロジェクト」(3GPP)という名の組織からのドキュメントに記述され、それは公に利用可能である。一般に、無線ネットワークは、W-CDMA、GSM、cdma2000または他のいくつかの無線通信技術のような任意の無線通信技術を利用することができる。ネットワーク・オペレータ/サービス・プロバイダーは、1つ以上の無線技術の1つ以上の無線ネットワークを展開するかもしれない。明快さのために、サーチ技法は、GSMとUMTSについて以下で説明される。
【００１５】
図1は、GSMネットワーク110およびUMTS120を含んでいる配置100を示す。
【００１６】
GSMネットワーク110は、GSMネットワークのカバレージエリア内の端末と通信する基地局112を含んでいる。基地局は、端末と通信し、ノードB、無線基地局(BTS)、アクセス・ポイントなどと呼ばれるかもしれない固定局である。移動通信交換局(MSC)114は、基地局112へ結合されて、これらの基地局に対し調整とコントロールを行う。UMTSネットワーク120は、UMTSネットワークのカバレージエリア内の端末と通信する基地局122を含んでいる。無線ネットワーク・コントローラ(RNC)124は、基地局122へ結合し、これらの基地局に対し調整とコントロールを行う。RNC 124は、UMTSとGSMネットワークの間の相互動作（inter-working）をサポートするためにMSC 114と通信するかもしれない。無線ネットワークは、典型的には多くのセルを含んでいる。ここで用語「セル」は、用語が使用される文脈に依存して、基地局または基地局のカバレージエリアを指すことができる。以下の説明において、基地局112はGSMセルとも呼ばれる。そして、基地局122はUMTSセルとも呼ばれる。
【００１７】
マルチモード端末150(例、デュアルモード携帯電話)は、GSMネットワーク110およびUMTSネットワーク120と、典型的には所定の瞬間において1つの無線ネットワークと、通信することができる。この能力は、ユーザが、W-CDMAの性能利益と、GSMの有効範囲の利点とを、同じ端末で獲得することを可能にする。端末150は、静止しているかもしれない、また動きがあるかもしれない。そして、ユーザ装置(UE)、移動局(MS)、モバイル装置(ME)、などと呼ばれるかもしれない。端末150は、携帯電話、携帯情報端末(PDA)、無線モデム、無線通信装置、加入者ユニット、無線ラップトップ・コンピューターなどかもしれない。
【００１８】
GSMネットワーク110およびUMTSネットワーク120は、同一あるいは異なる陸上移動通信ネットワーク（public land mobile network）(PLMN)に属するかもしれない。
【００１９】
PLMNは、1つ以上の無線ネットワーク、例えば、1つ以上のGSMネットワークおよび/または1つ以上のUMTSネットワーク、を含むかもしれない。PLMNは、特有のモバイル・カントリーコード(MCC)および特有の移動ネットワークコード(MNC)によってユニークに識別される。与えられたPLMNに対するUMTSネットワークおよびGSMネットワークには、オーバーラップするカバレージエリアまたはオーバーラップしないカバレージエリアがあるかもしれない。複数のPLMNも、１つの与えられた地理的な地域において、異なるサービス・プロバイダーによって配備されるかもしれない。
【００２０】
端末150は、端末がサービスを受けるかもしれない優先のPLMNのリストが供給されているかもしれない。この優先リストは、端末150が加入をしているサービス・プロバイダーによって供給されるかもしれない。優先リストは、通常、ホームPLMN(HPLMN)およびサービス・プロバイダーがローミング契約をしている他のPLMNを含んでいる。優先リストは、加入者識別モジュール(SIM)、ユニバーサルSIM(USIM)、または、いくつかの他の不揮発性メモリモジュールに格納されるかもしれない。端末150は、さらに、端末が先のサーチで見つけたPLMNのリストを維持するかもしれない。この見つかったPLMNのリストは、不揮発性メモリ内の捕捉データベースに格納されるかもしれない。
【００２１】
PLMNは、一つまたは複数の周波数帯で動作するかもしれない。各PLMNの内の無線ネットワークは、一般に、それぞれ、特定の周波数帯内の1つ以上の特定の周波数チャネルで動作する。表1は、GSMとUMTSのネットワークについて一般に使用される周波数帯をリストする。
【表１】
2009529837.tif 000003
【００２２】
GSMネットワークは、GSM帯と総称される、表1またはいくつかの他の周波数帯のうちの任意の周波数帯において動作するかもしれない。各GSM帯は、いくつかの200 kHzの無線周波数(RF)チャネルをカバーする。各RFチャンネルは、特有のARFCN（絶対無線周波数チャネル番号（absolute radio frequency channel number））によって識別される。例えば、GSM 900帯はARFCN 1〜124をカバーし、GSM 850帯はARFCN 128〜251をカバーし、GSM 1800帯はARFCN 512〜885をカバーし、そしてGSM 1900帯はARFCN 512〜810をカバーする。種々のGSM帯域に対するARFCNは、公に利用可能な、「ディジタル携帯電話テレコミュニケーション・システム(フェーズ2+);無線送信および受信(リリース1999)（Digital cellular telecommunications system (Phase 2+); Radio transmission and reception (Release 1999)）」2000年9月、と表題をつけられた、3GPP TS 05.05で与えられる。GSMネットワークは、一般に、特有のGSM帯におけるRFチャンネルの特有のセット上で動作する。そのRFチャンネルは、GSMチャネルおよび周波数チャネルとも呼ばれる。
【００２３】
UMTSネットワークは、UMTS帯と総称される、表1または他のいくつか周波数帯のうちの任意の周波数帯で動作するかもしれない。各UMTS帯は、およそ5MHzの間隔によって別々に置かれる複数のUMTSチャネルをカバーするかもしれない。各UMTSチャネルには、3.84MHzの帯域幅、および200kHzの分解能で与えられる中心周波数がある。各UMTSチャネルは、特定チャネル番号によって識別される。それはUARFCN(UTRA ARFCN)かもしれない。種々のUMTS帯に対するUARFCNは、公に利用可能な、「ユーザ装置(UE)無線送信および受信(FDD)(リリース7)（User Equipment (UE) radio transmission and reception (FDD) (Release 7)）」2006年3月、と表題をつけられた、3GPP TS 25.101で与えられる。UMTSネットワークは、一般に、1つ以上の特有のUARFCN上で動作する。UMTSチャネルは、W-CDMAチャネルおよび周波数チャネルとも呼ばれる。
【００２４】
セルラー帯域について、UMTSに対するUARFCNは、GSMに対するARFCNと以下のように関係している：
UARFCN  ＝  5×{824.2＋0.2×(ARFCN−128)＋45}  
＝  ARFCN＋4218                                式(1)
セルラー帯域は、ダウンリンク上でUMTSについてUARFCN 4357〜4458およびGSMについてARFCN 128〜251をカバーする。
【００２５】
パーソナル・コミュニケーションシステム(PCS)帯域について、UMTSに対するUARFCNは、GSMに対するARFCNと以下のように関係している：
UARFCN  ＝  5×{1850.2＋0.2×(ARFCN−512)＋80}          
＝  ARFCN−9139                                式(2)
PCS帯域は、ダウンリンク上でUMTSについてUARFCN 9662〜9938およびGSMについてARFCN 512〜810をカバーする。UARFCNが周波数帯の一部のみについて定義されるかもしれないので、特定周波数帯域におけるARFCNよりUARFCNは少数であるかもしれない。式(1)および(2)はセルラー帯域とPCS帯域に対する典型的な変換式である。他の変換式も、GSM 900、GSM 1800などのような他の周波数帯、および、さらに他の無線技術(例、cdma2000)について定義されるかもしれない。
【００２６】
表1に示されるように、GSMとUMTSネットワークは、同じ周波数帯またはオーバーラップする周波数帯で動作するかもしれない。例えば、GSM 1900帯およびUMTS帯 IIはPCS帯に対応する。そして、GSM 1800帯およびUMTS帯 IIIはデジタル・セルラーシステム（Digital Cellular System）(DCS)帯に対応する。
【００２７】
図2は、GSMとUMTSについての種々のレイヤを示す。GSMは。非アクセス層（Non Access Stratum）(NAS)およびアクセス層（Access Stratum）(AS)を含んでいる。
【００２８】
NASは、GSMネットワークをインターフェースするコアネットワークと端末の間のシグナリングとトラヒックをサポートするプロトコルと機能を含んでいる。ASは、GSMネットワークの内の端末とMSCの間の通信をサポートするプロトコルと機能を含む。GSMのために、ASは、無線リソース(RR)管理サブレイヤ、無線リンクコントロール(RLC)サブレイヤ、メディア・アクセス制御(MAC)サブレイヤおよび物理層を含んでいる。RRはレイヤ3のサブレイヤである。RLCとMACはレイヤ2のサブレイヤである。それはデータリンクレイヤとも呼ばれる。物理層は、レイヤ1とも呼ばれる。UMTSは、同様にNASとASを含んでいる。UMTSのために、ASは、レイヤ3の無線リソース制御(RRC)サブレイヤ、レイヤ2のRLCおよびMACサブレイア、およびレイヤ1の物理層を含んでいる。
【００２９】
NAS、RRCおよびRRは、無線ネットワークをサーチし、かつ呼を確立し、維持し、終了するための種々の機能を遂行する。平易さのため、サーチに関係する機能のみが以下で説明される。「サーチ」と「スキャン」という用語は、しばしば区別なく使用される。
【００３０】
RRC機能は、端末150内のRRCモジュールによって実現されるかもしれない。そして、RR機能はRRモジュールによって実現されるかもしれない。
【００３１】
端末150は、PLMNを探すためにマニュアル・サーチまたは自動サーチを遂行するかもしれない。端末150は、ユーザによって要求されたときはいつでもマニュアル・サーチを遂行するかもしれない。マニュアル・サーチの目標は、端末150によって見つかったすべてのPLMNの全体リストをユーザに返すことである。端末150は、ホームPLMNより低い優先度であるPLMNで仮住いしている場合、周期的に自動サーチを遂行するかもしれない。自動サーチの目標は、現在仕えているPLMNより高い優先度のPLMNを見つけることである。タイマーが終了するときならいつでも、端末150は自動サーチを遂行するかもしれない。そのタイマー値はサービス・プロバイダーによって決定されるかもしれない。マニュアルと自動サーチの両方について、端末150は、GSMネットワークに対するサーチ(GSMサーチ)および/またはUMTSネットワークに対するサーチ(UMTSサーチ)を遂行するかもしれない。端末150は、以下に説明されるように、種々の方式における、マニュアルおよび自動サーチを遂行するかもしれない。
【００３２】
図3は、端末150によって遂行される典型的なマニュアル・サーチ過程300を示す。マニュアル・サーチ要求は、無線通信技術Ｘに対する無線通信リソースエンティティによってユーザから受信される(ブロック312)。マニュアル・サーチ要求は、端末150が現在仮住いしているか、またはサービスを最後に受けた無線通信技術の無線通信リソースエンティティに送信されるかもしれない。無線通信リソースエンティティは、GSMに対するRR、またはUMTSに対するRRCかもしれない。各無線通信リソースエンティティは、端末150によってサポートされた、残りの無線通信技術それぞれのPLMNに対するサーチが後続する、その無線通信技術上のPLMNに対するサーチを遂行するかもしれない。
【００３３】
無線通信技術ＸのPLMNに対するサーチは、すべての使用可能にされた周波数帯について遂行される(ブロック314)。使用可能にされた周波数帯は、端末150の能力、端末150の構成、および/または他の因子に依存するかもしれない。サーチは、セルラーとPCS帯域(それはアメリカにおいて一般に使用される)を含んでいる帯域群、IMT-2000およびGSM 1800帯域(それはヨーロッパにおいて一般に使用される)を含んでいる帯域群、あるいは周波数帯の他のいくつかの群について遂行されるかもしれない。無線通信技術Ｘについて見つかったPLMNのリストは保存される(ブロック316)。次に、サーチするべき別の無線通信技術があるかどうか、判定される(ブロック318)。答えが「Yes」である場合、別の無線通信技術のPLMNに対するサーチは、この別の無線通信技術のためのすべての使用可能にされた周波数帯について遂行される(ブロック320)。この別の無線通信技術について見つかったPLMNのリストは、無線通信技術Ｘの無線通信リソースエンティティに提供される(ブロック322)。それから、その過程はブロック318に戻る。答えがブロック318に対して「No」である場合、すべての無線通信技術について見つかったすべてのPLMNのリストは生成され、ユーザに返される(ブロック324)。
【００３４】
マニュアル・サーチ過程300において、サーチは、端末150にサポートされた各無線通信技術について独立して遂行される。例えば、端末150は、マニュアル・サーチ要求がGSMに対するRRによって受信される場合に、UMTSサーチが後続する、GSMサーチを遂行するかもしれない。端末150は、さらにマニュアル・サーチ要求がUMTSに対するRRCによって受信される場合に、GSMサーチが後続する、UMTSサーチを遂行するかもしれない。
【００３５】
端末150は、特定周波数帯域(例、セルラー帯域)に対するGSMサーチを以下のように遂行するかもしれない：
・パワー・スキャンを遂行し、そして、その周波数帯において各GSMチャネルの受信電力を測定する。
【００３６】
・強いGSMチャネルを識別する。
【００３７】
・強いGSMチャネルの各々で捕捉を試みる。
【００３８】
・PLMN情報を持つ捕捉したGSMチャネルのリストを報告する。
【００３９】
パワー・スキャンは、周波数帯における各GSMチャネルについて受信信号強度インディケーター（received signal strength indicator）(RSSI)測定値を供給する。パワー・スキャンは、比較的速く、例えば数秒で、遂行されるかもしれない。強いGSMチャネル(例、閾値を越えたRSSI測定値を持ったもの)は、捕捉に対し選択される。そして、残りの弱いGSMチャネルが切り捨てられる。強いGSMチャネルの捕捉は、(1)周波数補正チャネル（frequency correction channel）(FCCH)に送信されたトーンについて検知することと、(2) GSMセルについて無線基地局識別コード（base transceiver station identity code）(BSIC)を得るために、同期チャネル（synchronization channel）(SCH)上で送信したバーストを復号することと、を要するかもしれない。強いGSMチャネルの捕捉は、さらに、システム情報タイプ3メッセージ(SI3)、またはシステム情報タイプ4メッセージ(SI4)を得るために報知チャネル（broadcast control channel）(BCCH)を解読することを要するかもしれない。SI3とSI4は、他の情報とともにGSMセルのPLMNについての情報も含んでいる。一般に、捕捉の成功は、FCCH検出の成功、FCCH検出およびSCH復号の成功、FCCH検出の成功およびSCHとBCCHの両方の復号の成功、または他のいくつかの基準によって定義されるかもしれない。いずれの場合においても、GSMサーチは、捕捉したGSMチャネルのリストを提供する。このリストは、ゼロ、1または複数のGSMチャネルを含んでいるかもしれない。
【００４０】
端末150は、特定の周波数帯域に対するUMTSサーチを以下のように遂行するかもしれない：
・粗い周波数のスキャンを遂行し、Δfｃだけ離れて間隔を置かれた粗い周波数で受信電力を測定する。
【００４１】
・強い粗い周波数を識別する。
【００４２】
・強い粗い周波数のそれぞれのまわりの一連のUARFCNに対する細かい周波数スキャンを遂行する。
【００４３】
・強いUARFCNを識別する。
【００４４】
・強いUARFCNのそれぞれで捕捉を試みる。
【００４５】
・PLMN情報を持つ捕捉したUMTSチャネルのリストを報告する。
【００４６】
図4は、UMTSに対する、典型的な粗い周波数スキャンおよび細かい周波数スキャンを示す。粗い周波数スキャンは、関心のある全周波数帯(例、PCS帯域)を横切って遂行されるかもしれない。粗い周波数スキャンは、Δfｃだけ離れて間隔を置かれる粗い周波数についてRSSI測定値を供給する。例えば、Δfｃは2MHzと等しいかもしれない。そして、PCS帯域に対する粗い周波数スキャンは、fk=1930+2k （ここでk=0,...,30）MHzの31個の粗い周波数について31個のRSSI測定値を供給するかもしれない。RSSI測定値は、検知閾値と比較され、そして、検知閾値を越えたRSSI測定値を持った強い粗い周波数はさらに評価のために選択されるかもしれない。
【００４７】
細かい周波数スキャンは、それぞれの強い粗い周波数fkに対して、
fFL = fk−Δfｃ/2 から fFU = fk +Δfｃ/2  までの周波数範囲を横切って遂行されるかもしれない。細かい周波数スキャンは、その周波数範囲内のすべてのUARFCNについてRSSI測定値を供給する。例えば、fｃは2MHzと等しいかもしれない。そして、粗い周波数fkに対する細かい周波数スキャンは、200kHzずつ分離される11個のUARFCNについて11個のRSSI測定値を供給するかもしれない。UARFCNに対するRSSI測定値は、検知閾値と比較されるかもしれない。そして、検知閾値を越えたRSSI測定値を持った強いUARFCNは捕捉のために選択されるかもしれない。
【００４８】
端末150は、3-ステップの過程を使用して、強いUARFCNのそれぞれで捕捉を試みるかもしれない。ステップ1において、端末150は、端末150で受信されるサンプルを、異なる時間オフセットでローカルに生成されたPSCの系列と相関することによって、プライマリ同期チャネル（primary synchronization channel）(SCH)で送信された256-チップのプライマリ同期コード（primary synchronization code）(PSC)系列をサーチする。
【００４９】
端末150は、UMTSセルの存在について検出し、かつ、そのセルのスロットタイミングを確認するためにPSCを使用する。ステップ2において、端末150は、PSCが検出された各UMTSセルによって使用される、セカンダリ同期コード（secondary synchronization code）(SSC)系列のパターンを決定する。端末150は、そのセルについて検出されたSSCパターンに基づいてUMTSセルについて使用されるスクランブルするコード群およびフレームタイミングを決定することができる。ステップ3において、端末150は、SSCパターンが検出された各UMTSセルによって使用される、スクランブルするコードを決定する。SSCパターンはそれぞれ、8つのスクランブルするコードの群に関係している。端末150は、どのスクランブルするコードがUMTSセルによって使用されるか決定するために8つのスクランブルするコードの各々を評価する。
【００５０】
図4に示されるように、捕捉を試みるための多くのUARFCNがあるかもしれない。例として、PCS帯域は、200個を超えるUARFCNをカバーする。そして、捕捉は、PCS帯域における200個以上のUARFCNで試みられるかもしれない。従って、UMTSサーチは、完了するのに長い時間(例、数分)かかるかもしれない。
【００５１】
実施態様において、GSMサーチの結果は、UMTSサーチに対する周波数サーチ空間を縮小するために使用される。GSMサーチは、捕捉したGSMチャネルのリストを提供する。GSMとUMTSの間の干渉を回避するために、GSMチャネルとUMTSチャネルは、それらが周波数において互いにオーバーラップしないように、一般的に選択されている。よって、捕捉したGSMチャネルのそれぞれについて、このGSMチャネルとオーバーラップするUMTSチャネルはないという仮定がなされるかもしれない。それから、UMTSサーチは、捕捉したGSMチャネルのそれぞれを中心とする一連の周波数を省略するかもしれない。
【００５２】
図5は、GSMサーチの結果に基づいたUMTS周波数サーチ空間からの周波数の省略を示す。この例において、5つのGSMチャネルがGSMサーチの間に捕捉される。GSMチャネルはそれぞれ、200kHz未満の3dB帯域幅を持っている。そして、UMTSチャネルにはそれぞれおよそ3.84MHzの3dB帯域幅がある。捕捉したGSMチャネルのそれぞれについて、そのGSMチャネルの両側で3.84MHz以内をカバーする周波数範囲は、UMTSサーチから省略されるかもしれない。あるいは、より小さな周波数範囲は、いくつかのマージンを提供するために省略されるかもしれない。実施態様において、捕捉したGSMチャネルのそれぞれについて、そのGSMチャネルを中心とする6.8MHzの周波数範囲は、UMTS周波数サーチ空間から省略される。6.8MHzに加えて他の周波数範囲も使用されてもよい。
【００５３】
省略された周波数空間は、捕捉したGSMチャネルを中心とする、すべての省略された周波数範囲の結合によって形成される。省略された周波数空間は、UMTSサーチから省略されるかもしれない周波数をすべて含んでいる。次に、特定の周波数帯域についてのUMTSサーチに対する周波数サーチ空間は、省略された周波数空間に含まれていない周波数をすべて含んでいるかもしれない。捕捉したGSMチャネルの番号およびそれらの周波数によって、その周波数帯の大部分は、周波数サーチ空間から省略されるかもしれない。それから、UMTSサーチは、粗いおよび細かい周波数スキャンについてより少数の周波数であるけれども、上に記述された方法で周波数サーチ空間に対して遂行されるかもしれない。
【００５４】
図6は、GSMがUMTSに対する周波数サーチ空間を縮小するためにサーチ結果を使用するマニュアル・サーチの過程600の実施態様を示す。マニュアル・サーチ要求は、無線通信技術Xの無線通信リソースエンティティ(例、GSMのRRまたはUMTSのRRC)によってユーザから受信される(ブロック612)。GSM PLMNに対するサーチは、すべての使用可能にされた周波数帯について遂行される(ブロック614)。GSMについて見つかったPLMNのリストは保存される(ブロック616)。UMTSの周波数サーチ空間が、上に説明されたごとく捕捉したGSMチャネルに基づいて、決定される(ブロック618)。それから、UMTS PLMNについてのサーチは、その周波数サーチ空間に対して遂行される(ブロック620)。UMTSについて見つかったPLMNのリストは保存される(ブロック622)。GSMとUMTSについて見つかったすべてのPLMNのリストが生成され、ユーザに返される(ブロック624)。
【００５５】
端末150は、デュアルモード、GSMオンリーモード、またはUMTSオンリーモードにおいて動作されるかもしれない。端末150は、デュアルモードにおいて、GSMまたはUMTSからサービスを受けることができる。動作モードは、ユーザによって選択されるか、またはサービス・プロバイダー（例、端末150のロケーションに基づいて）によって設定されるかもしれない。端末150は、それがUMTSオンリーモードにおいて動作している場合、ブロック614におけるGSM PLMNに対するサーチを省略するかもしれない。
【００５６】
実施態様において、端末150は、あらかじめ端末150によって捕捉されたUMTSチャネルのユニークなUARFCN/PLMNエントリーのリストを含んでいる捕捉データベースを維持している。UARFCN/ PLMNエントリーのそれぞれは、関連するUMTSチャネルを捕捉するためにUARFCN、スクランブルするコードおよび他の関連情報を示す。
【００５７】
捕捉データベースは、所定数(例、10)の最近のエントリーを含んでいるかもしれない。新しいエントリーがデータベースにおいて最も古いエントリーを交換するように、それらは円環状バッファに格納されるかもしれない。
【００５８】
端末150は、UMTSサーチを遂行する前に、捕捉データベースにおけるUMTSチャネルで捕捉を試みるかもしれない。これは、いくつかの理由で望ましいかもしれない。
【００５９】
第1に、端末の150は、これらのUMTSチャネルを以前に捕捉している。したがって、再びこれらのUMTSチャネルを捕捉する確度は高いかもしれない。第2に、端末の150は、スクランブルコードのような関連情報を持っていて、これらのUMTSチャネルをすばやく捕捉することができるかもしれない。
【００６０】
実施態様において、捕捉データベース・サーチの結果は、UMTSサーチに対する周波数サーチ空間を縮小するために使用される。端末150は、捕捉データベースにおける各UMTSチャネルで捕捉を試みるかもしれないし、そして、成功裡にUMTSチャネルを捕捉するかもしれないし、捕捉に成功しないかもしれない。UMTSチャネルが捕捉されない場合、このUMTSチャネルに対するUARFCNは、UMTSサーチから省略されるかもしれない。UMTSチャネルが捕捉される場合、捕捉したUMTSチャネルを中心とする一連の周波数は、UMTSサーチから省略されるかもしれない。
【００６１】
図7は、捕捉データベース・サーチの結果に基づいたUMTS周波数サーチ空間からの周波数の省略を示す。この例において、捕捉データベース・サーチによって、2つのUMTSチャネルが捕捉され、そして、3つのUMTSチャネルが捕捉されない。捕捉したUMTSチャネルのそれぞれについて、このUMTSチャネルに対するUARFCNの両側で3.84MHz以内をカバーする周波数範囲は、UMTS周波数サーチ空間から省略され得る。実施態様において、各捕捉したUMTSチャネルについて、UMTSチャネルのUARFCNを中心とする6.8MHzの周波数範囲は、UMTS周波数サーチ空間から省略される。他の周波数範囲も使用されるかもしれない。
【００６２】
図8は、UMTSサーチに対する周波数サーチ空間を縮小するために捕捉データベース・サーチの結果を使用するサーチ過程800の実施態様を示す。捕捉データベース・サーチは、最初に遂行される(ブロック810)。ブロック810について、捕捉は、捕捉データベースにおけるUMTSチャネル上で試みられる(ブロック812)。ブロック814に判定されるように、捕捉が成功する場合、捕捉したUMTSチャネルのUARFCNを中心とする一連の周波数は、UMTS周波数サーチ空間から省略される(ブロック816)。捕捉が成功しない場合、捕捉していないUMTSチャネルのUARFCNは、UMTS周波数サーチ空間から省略される(ブロック818)。それから、捕捉を試みる捕捉データベースにおいて、別のUMTSチャネルがあるかどうか、判定はなされる(ブロック820)。答えが「Yes」である場合、捕捉データベースにおける別のUMTSチャネルで捕捉を試みるために、過程はブロック812へ戻る。そうでなく、捕捉が捕捉データベースにおけるすべてのUMTSチャネルに試みられている場合、UMTS PLMNのサーチは、ブロック816および/または818において縮小された周波数サーチ空間に対して遂行される(ブロック822)。
【００６３】
端末150は、現在サービスを受けているPLMNより高い優先度のPLMNを見つけるために周期的に自動サーチを遂行するかもしれない。自動サーチの目標は、より高い優先度のPLMNを見つけることであるので、端末150は、それらの優先度に基づいてPLMNを探索するかもしれない。GSMがより高い優先度であるので、GSMサーチが最初に遂行される場合、GSMサーチの結果は、UMTSサーチの周波数サーチ空間を縮小するために使用されるかもしれない。
【００６４】
図9は、自動サーチ過程900の実施態様を示す。自動サーチを遂行する指示は、無線通信リソースエンティティによって受信される(ブロック912)。その指示は、自動サーチのために使用されたタイマーの終了が引き金となって起きるかもしれない。その指示は、上位層(例、NAS)によって送信されるかもしれない、そして、現在のPLMNより高い優先度を持つPLMNのサーチリストを含んでいるかもしれない。このサーチリストは、端末150で提供された優先のPLMNのリストから導き出されるかもしれない。サーチリストにおける最優先PLMNが識別される(ブロック914)。それから、この最優先PLMNが、GSM PLMNかどうか判定がなされる(ブロック916)。
【００６５】
最優先PLMNがGSM PLMNである場合、GSM PLMNのサーチがすべての使用可能にされた周波数帯について遂行される(ブロック920)。GSMサーチによって捕捉されたすべてのGSMチャネルは、これらのGSMチャネルのうちのいずれもが最優先GSM PLMNについてのものかどうか判定するようにチェックされる。次に、最優先のGSM PLMNが見つかったかどうか、判定がなされる(ブロック922)。答えが「Yes」である場合、GSMサーチによって見つかり、サーチリストに含まれたPLMNは返される(ブロック952)。そして、その過程は終了する。そうでなく、最優先GSM PLMNが見つからない場合、捕捉は捕捉データベースにおけるUMTSチャネル上で試みられる(ブロック924)。ブロック924における捕捉データベース・サーチについて、GSMサーチの結果は、GSMサーチによって捕捉されたGSMチャネルをオーバーラップさせるUMTSチャネルを省略するために使用されてもよい。それから、最優先UMTS PLMNが見つかるかどうか判定はなされる(ブロック926)。答えが「Yes」である場合、UMTSサーチによって見つかり、サーチリストに含まれたPLMNは返される(ブロック952)。そして、その過程は終了する。そうでなく、最優先UMTS PLMNが見つからない場合、UMTSサーチについての周波数サーチ空間は、ブロック920におけるGSMサーチの結果、およびブロック924における捕捉データベース・サーチの結果に基づいて決定される(ブロック928)。次に、UMTS PLMNのサーチが、UMTS周波数サーチ空間で遂行される(ブロック930)。UMTSサーチによって見つかり、サーチリストに含まれた任意のPLMNも返される(ブロック952)。そして、その過程は終了する。
【００６６】
ブロック916において判定されるように、サーチリストにおける最優先PLMNがUMTS PLMNである場合、捕捉は捕捉データベースにおけるUMTSチャネル上で試みられる(ブロック940)。次に、最優先UMTS PLMNが見つかるかどうか、判定はなされる(ブロック942)。答えが「Yes」である場合、捕捉データベース・サーチによって見つかり、サーチリストに含まれたPLMNは返される(ブロック952)。そして、その過程は終了する。
【００６７】
そうでなく、最優先UMTS PLMNが見つからない場合、UMTSサーチについての周波数サーチ空間は、捕捉データベース・サーチの結果に基づいて決定される(ブロック944)。
【００６８】
それから、UMTS PLMNのサーチがUMTS周波数サーチ空間で遂行される(ブロック946)。
【００６９】
それから、最優先UMTS PLMNが見つかるかどうか、判定はなされる(ブロック948)。
【００７０】
答えが「Yes」である場合、UMTSサーチによって見つかり、サーチリストに含まれたPLMNは返される(ブロック952)。そして、その過程は終了する。そうでなく、最優先UMTS PLMNが見つからない場合、GSM PLMNのサーチがすべての使用可能にされた周波数帯について遂行される(ブロック950)。ブロック950におけるGSMサーチについては、捕捉データベース・サーチの結果およびUMTSサーチの結果は先のサーチにおいて捕捉したUMTSチャネルにオーバーラップするGSMチャネルを省略するために使用されてもよい。GSMサーチによって見つかり、サーチリストに含まれたPLMNは、返される(ブロック952)。そして、その過程は終了する。
【００７１】
図9に示される実施態様において、サーチリストにおける最優先PLMNが見つかったとき、またはGSMとUMTSの両方がサーチされた後に、過程900は終了する。過程900は、また、より高い優先度のPLMNが見つかった場合、および/または、他のいくつかの基準に合致した場合に終了するかもしれない。
【００７２】
図9に示される実施態様において、GSMサーチ、UMTSサーチおよび捕捉データベース・サーチは、所望の結果に依存する種々の命令で遂行されるかもしれない。一般に、与えられたサーチの結果は、後のサーチについての周波数サーチ空間を縮小するために使用され得る。
【００７３】
図10は、無線ネットワークからサービスを獲得するための過程1000の実施態様を示す。最初に、例えば、電源が入れられた、あるいはサービスが消失した際、サービス要求が受信される(ブロック1012)。任意のネットワーク(UMTSかGSMのいずれか)からサービスをできるだけ速く獲得することが望ましいかもしれない。捕捉は、捕捉データベースにおけるPLMNに試みられる(ブロック1014)。ブロック1016において判定されるように、捕捉データベースにおけるいずれかのPLMNが見つかった場合、サービスはそのPLMNから獲得される(ブロック1018)。
【００７４】
そうでなく、捕捉データベースにおけるPLMNが見つからない場合、GSMサーチがUMTSサーチより短い時間で済むもしれないので、GSMサーチが最初に遂行されるかもしれない。そして、サービスはGSM PLMN上で、より速く獲得されるかもしれない。
【００７５】
GSMサーチについての周波数サーチ空間は、捕捉データベース・サーチの結果に基づいて決定される(ブロック1022)。例えば、ブロック1014において捕捉されていない各UMTSチャネルのUARFCNは、GSM周波数サーチ空間から省略されるかもしれない。それから、GSM PLMNについてのサーチはGSM周波数サーチ空間の上で遂行される(ブロック1024)。ブロック1026において判定されるように、いずれかのGSM PLMNが見つかった場合、サービスはそのPLMNから獲得される(ブロック1028)。
【００７６】
そうでなく、GSM PLMNが見つからない場合、UMTSサーチについての周波数サーチ空間は、ブロック1014における捕捉データベース・サーチの結果、およびブロック1024におけるGSMサーチの結果に基づいて決定される(ブロック1032)。例えば、ブロック1014において捕捉されていない各UMTSチャネルのUARFCN、およびブロック1024において捕捉した各GSMチャネルに対応する一連のUARFCNは、UMTS周波数サーチ空間から省略されるかもしれない。それから、UMTS PLMNについてのサーチはUMTS周波数サーチ空間の上で遂行される(ブロック1034)。ブロック1036において判定されるように、いずれかのUMTS PLMNが見つかる場合、サービスはそのPLMNから獲得される(ブロック1038)。そうでなく、UMTS PLMNが見つからない場合、サービスが見つからないというレスポンスが返される(ブロック1040)。
【００７７】
別の実施態様において、GSM PLMNがブロック1026で見つからない場合、捕捉はブロック1034におけるUMTSサーチを遂行する前に捕捉データベースにおけるPLMNに対して試みられる。さらに別の実施態様において、例えばUMTSがGSMよりも優先の場合、UMTSサーチがGSMサーチに先立って遂行される。そのサーチも他の指令において遂行されるかもしれない。
【００７８】
図6、8、9および10は、GSMとUMTSについての典型的なサーチ過程を示す。
【００７９】
一般に、GSMとUMTSについてのサーチは任意の順に遂行されるかもしれない。そのサーチも、任意のトリガとなるイベントまたは基準に応じて遂行されるかもしれない。例えば、過程1000もマニュアル・サーチまたは自動サーチのために使用されてもよい。
【００８０】
図11は、複数の無線技術についてのサーチ過程1100の実施態様を示す。第1の無線通信技術についての第1のサーチは遂行され、そして、第1の無線通信技術について捕捉された周波数チャネルを示すサーチ結果が得られる(ブロック1112)。第2の無線通信技術についての第2のサーチは、第2のサーチから周波数を省略するために第1のサーチのサーチ結果を使用して遂行される(ブロック1114)。第1の無線通信技術は、第2の無線通信技術より速いサーチ時間を持っているかもしれない。第1と第2の無線技術は、それぞれGSMおよびW-CDMAかもしれない、あるいは他のいくつかの無線技術かもしれない。
【００８１】
第1のサーチは、複数の周波数チャネルについての受信電力測定値を得ることと、強い受信電力測定値を持った周波数チャネル上で捕捉を試みることと、第1の無線通信技術について成功裡に捕捉した周波数チャネルのリストを供給することと、を含むかもしれない。第1の無線通信技術はGSMかもしれない。そして、強い受信電力測定値を持った周波数チャネルは、それぞれ、FCCHを検出し、SCHを解読し、そして、おそらくBCCHを解読することにより捕捉されるかもしれない。
【００８２】
周波数サーチ空間は、第1のサーチの結果に基づいて、第2の無線通信技術について決定されるかもしれない。一連の周波数は、第1の無線通信技術について成功裡に捕捉した各周波数チャネルの近くで省略されるかもしれない。それから、第2のサーチは、その周波数サーチ空間に対して遂行されるかもしれない。
【００８３】
第2のサーチは、第2のサーチから省略された周波数を除外する複数の周波数について受信電力測定値を得ることと、強い受信電力測定値を持った周波数を中心とする周波数チャネル上で捕捉を試みることと、第2の無線通信技術について成功裡に捕捉した周波数チャネルのリストを供給することと、を含むかもしれない。受信電力測定値は、(1) 第2のサーチから省略された周波数を除外する、複数の粗い周波数についての粗い周波数スキャン、および、(2) 強い受信電力測定値を持った粗い周波数のそれぞれについての複数の細かい周波数についての細かい周波数スキャン、によって得られるかもしれない。細かい周波数は、UMTSにおけるUARFCNに対応するかもしれない。
【００８４】
第1と第2のサーチは、すべての利用可能な無線ネットワークのリストについての要求、現在の無線ネットワークより高い優先度を持った無線ネットワークについてのサーチに対する指示、サービスについての要求、などに応じて遂行されるかもしれない。
【００８５】
図12は、無線通信技術についてのサーチ過程1200の実施態様を示す。捕捉は、第1の無線通信技術について、以前に捕捉した少なくとも1つの周波数チャネルで遂行される(ブロック1212)。それから、第1の無線通信技術についてのサーチは、サーチから周波数を省略するために捕捉の結果を使用して遂行される(ブロック1214)。ブロック1214については、省略された周波数は、(1)成功裡に捕捉していない周波数チャネルのそれぞれの中心周波数、および(2)成功裡に捕捉した周波数チャネルそれぞれについての周波数の範囲、を含んでいるかもしれない。
【００８６】
第2の無線通信技術についてのサーチは遂行され、そして、第2の無線通信技術について捕捉された周波数チャネルを示す結果が得られるかもしれない。それから、第1の無線通信技術についてのサーチは、第1の無線通信技術についてのサーチから周波数を省略するために第2の無線通信技術についてのサーチの結果とともに捕捉の結果も使用して遂行されるかもしれない。あるいは、第1の無線通信技術についてのサーチは、最初に遂行されるかもしれない。そして、このサーチの結果は第2の無線通信技術についてのサーチから周波数を省略するために使用されてもよい。第1と第2の無線通信技術は、それぞれW-CDMAおよびGSMかもしれない、あるいは他のいくつかの無線通信技術かもしれない。
【００８７】
一般に、端末150は、同じ無線通信技術または異なる無線通信技術についての別のサーチについてのサーチ領域を縮小するために1つの無線通信技術についてのサーチの結果を使用するかもしれない。第1のサーチは、完全なサーチ(例、全周波数帯上のサーチ)または部分的なサーチ(例、捕捉データベースにおける周波数チャネル上の捕捉)かもしれない。第2のサーチもまた完全または部分的なサーチかもしれない。サーチ領域から省略するべき周波数は、第1のサーチについて捕捉した周波数チャネルおよび捕捉しなかった周波数チャネル、第1と第2の無線通信技術についての周波数チャネルのバンド幅、および/または他の因子、に依存するかもしれない。
【００８８】
実施態様において、端末150は、各々周波数帯がその周波数帯についての先のサーチの結果に基づいてサーチされるべきサーチ領域を縮小することを試みる。別のものにおいて、端末150は、複数の無線通信技術について使用された混み合った周波数帯についてのみのサーチ領域を縮小することを試みる。例えば、セルラー帯域、PCS帯域、GSM 900帯域およびGSM 1800帯域は、UMTSおよびGSMネットワークが両方ともこれらの周波数帯に配備されるので、混み合った周波数帯と見なされるかもしれない。IMT-2000帯域は、UMTSネットワークのみがこの周波数帯に現在配備されるので、目下のところ混み合った周波数帯ではない。他の周波数帯は、より多くの無線ネットワークが配備されるとともに、今後混み合うようになるかもしれない。
【００８９】
ここに説明されたサーチ技法は、サーチ時間において大幅な削減を提供することができる。1つの典型的な設計において、UMTSサーチについてのサーチ領域を縮小するGSMサーチ結果の使用は、UMTSサーチ時間において10〜30秒の節約を提供する。
【００９０】
改良の量は、他の設計については異なるかもしれない。
【００９１】
図13は、端末150の実施態様のブロック図を示す。ダウンリンクにおいては、アンテナ1312がGSMおよび/または UMTS基地局から変調された信号を受信し、受信機(RCVR)1314に受信された信号を供給する。受信機1314は、受信された信号を調整(例、フィルタ、増幅、および周波数ダウンコンバート)し、調整された信号をディジタル化し、データサンプルを提供する。復調器(DEMOD)1316は、データ標本を処理(例、デスクランブル、デチャンネル、復調)し、そして、シンボル推定値を提供する。それは、基地局によって端末150へ送信されたデータシンボルの推定値である。復号器1318は、それから、シンボル推定値を処理(例えば、デインタリーブ、および解読)し、そして、端末150に復号データを提供する。復調器1316および復号器1318による処理は、異なる無線通信技術について一般的に異なる。例えば、復調器1316は、GSMについてマッチトフィルタリングおよび等化を遂行するかもしれない。復調器1316は、W-CDMAについて、スクランブル系列でデスクランブルを、直交可変拡散因子（orthogonal variable spreading factor）(OVSF)コードで逆拡散を、そしてデータ復調などを遂行するかもしれない。
【００９２】
アップリンクにおいては、端末150によって送信されるトラフィックデータおよびシグナリングが符号器1332によって処理(例、符号化、インターリーブ)され、適用可能な無線技術(例、GSM、W-CDMA)に従い変調器(MOD)1334によってさらに処理(例、変調、チャネル化、スクランブル)される。送信機(TMTR)1336は、変調器1334からのデータ・チップを調整(例えば、アナログに変換、増幅、フィルタ、および、周波数アップコンバート)する、そして、1つ以上の基地局へアンテナ1312を介して送信されるアップリンク信号を生成する。
【００９３】
コントローラ/プロセッサ1320は端末150の動作を制御する。コントローラ/プロセッサ1320は、過程300、600、800、900、1000、1100、1200および/または、他の過程、を実現するかもしれない。コントローラ/プロセッサ1320は、さらにNAS、RRCおよび/または、RRを実現するかもしれない。コントローラ/プロセッサ1320は、サービスについてマニュアル・サーチ、自動サーチおよびシステムサーチをいつ遂行するか決定するかもしれない、また、サーチするべきPLMN、周波数チャネル、および/または周波数帯についても決定するかもしれない。コントローラ/プロセッサ1320は、さらに捕捉データベース・サーチ、GSMサーチおよびUMTSサーチを指示するかもしれない。復調器1316は、UMTSとGSMの両方についてレイヤ1を実装し、RRCによって指示されたときならいつでも捕捉データベース・サーチとUMTSサーチを遂行し、UMTSサーチ結果を提供し、RRによって指示されたときならいつでもGSMサーチを遂行し、そしてGSMサーチ結果を提供する、かもしれない。メモリ1322は、端末150用にデータとプログラムコードを格納する。メモリ1322は、PLMN情報、捕捉データベース、サーチ結果などを格納するかもしれない。
【００９４】
明快さのために、サーチ技法は、UMTSとGSMについて明確に説明された。
【００９５】
これらの技法は、また、cdma2000ネットワーク、無線ローカルエリアネットワーク(WLAN)などのような他のネットワークに対して使用されてもよい。これらの技法は、2つを超える無線通信技術(例えばW-CDMA、GSMおよびcdma2000について)のために使用されてもよい。
【００９６】
ここに説明されたサーチ技法は、種々の手段によって実現されるかもしれない。
【００９７】
例えば、これらの技法は、ハードウェア、ファームウェア、ソフトウェアまたはそれらの組合せにおいて実現されるかもしれない。ハードウェア・インプリメンテーションについては、サーチを遂行するために使用される演算処理装置は、1つ以上の特定用途向けIC(ASIC)、ディジタル信号プロセッサ(DSP)、ディジタル信号処理装置(DSPD)、プログラマブルロジックデバイス(PLD)、フィールドプログラマブルゲートアレイ(FPGA)、プロセッサ、コントローラ、マイクロコントローラ、マイクロプロセッサー、電子機器、ここに説明された機能を遂行することを目指した他の電子ユニット、またはそれらの組合せで実装されるかもしれない。
【００９８】
ファームウェアおよび/またはソフトウェア・インプリメンテーションについては、技法は、ここに説明された機能を遂行するモジュール(例、手順、機能など)で実装されるかもしれない。ファームウェアおよび/またはソフトウェアコードは、メモリ(例、図13におけるメモリ1322)に格納され、プロセッサ(例、プロセッサ1320)によって実行されるかもしれない。メモリはプロセッサ内に実装されるか、またはプロセッサの外部に実装されるかもしれない。
【００９９】
開示された実施態様の以前の説明は任意の当業者が発明をするか使用することを可能にするために提供される。これらの実施態様に対する種々の修正は当業者にとって容易に明白になるであろう。そして、ここに定義された一般的な法則は、本発明の趣旨から外れずに、他の実施態様に適用されるかもしれない。したがって、本発明は、ここに示された実施態様に限定するようには意図されずに、ここに開示された法則と新規な特徴に一致する最も広い範囲を与えられるべきである。
【図面の簡単な説明】
【０１００】
【図１】GSMネットワークおよびユニバーサル・モービル・テレコミュニケーション・システム（Universal Mobile Telecommunication System）(UMTS)ネットワークからなる配置を示す。
【図２】GSMとUMTSについてのプロトコルレイヤを示す。
【図３】マニュアル・サーチ過程を示す。
【図４】UMTSに対する粗い周波数スキャンと細かい周波数スキャンを示す。
【図５】GSMサーチ結果に基づいて省略された周波数を示す。
【図６】GSMとUMTSについてのマニュアル・サーチ過程を示す。
【図７】捕捉データベース・サーチ結果に基づいて省略された周波数を示す。
【図８】捕捉データベース・サーチを用いたサーチ過程を示す。
【図９】GSMとUMTSについての自動サーチ過程を示す。
【図１０】無線ネットワークからサービスを得るためのサーチ過程を示す。
【図１１】複数の無線通信技術についてのサーチ過程を示す。
【図１２】１つの無線通信技術についてのサーチ過程を示す。
【図１３】端末のブロック図を示す。
【図１】
2009529837.tif 000004
【図２】
2009529837.tif 000005
【図３】
2009529837.tif 000006
【図４】
2009529837.tif 000007
【図５】
2009529837.tif 000008
【図６】
2009529837.tif 000009
【図７】
2009529837.tif 000010
【図８】
2009529837.tif 000011
【図９】
2009529837.tif 000012
【図１０】
2009529837.tif 000013
【図１１】
2009529837.tif 000014
【図１２】
2009529837.tif 000015
【図１３】
2009529837.tif 000016
【国際調査報告】
2009529837.tif 000017
2009529837.tif 000018
2009529837.tif 000019